(57)【特許請求の範囲】
【請求項１】
用紙と、入力装置とを備える手書き入力装置であって、
前記用紙は、予め決められた異なる位置に複数のチェックボックスが設けられており、各チェックボックス内には所定形状のマークが印刷されており、
前記入力装置は、
静電容量の変化を検知するセンサシートと、
前記センサシートの接触位置における静電容量の変化を検出することにより、入力情報を検出する入力情報検出手段と、
前記センサシート上に配置された用紙のチェックボックス内に導電性のインクにより記入された前記所定形状の複数のマークの位置を検出するマーク検出手段と、
前記複数のマークの位置に基づいて、前記センサシート上に配置された用紙のセンサシートに対する位置及び傾きを検出する配置状態検出手段と、
検出された位置及び傾きに基づいて、前記入力情報を補正して出力する補正手段と、
を備えることを特徴とする手書き入力装置。
【請求項２】
前記配置状態検出手段は、前記センサシート上における前記複数のマークの位置座標に基づいて、前記センサシートの原点座標と前記用紙の原点座標との関係を算出し、前記用紙のセンサシートに対する位置を検出することを特徴とする請求項１に記載の手書き入力装置。
【請求項３】
前記配置状態検出手段は、前記センサシート上における前記複数のマークの位置座標に基づいて、前記用紙のセンサシートに対する傾きを検出することを特徴とする請求項１又は２に記載の手書き入力装置。
【請求項４】
前記入力情報検出手段、前記マーク検出手段、前記配置状態検出手段及び前記補正手段は、ペンによる入力が継続している間繰り返し動作し、補正後の入力情報を出力し続けることを特徴とする請求項１乃至３のいずれか一項に記載の手書き入力装置。
【請求項５】
補正後の前記入力情報を外部の端末装置へ送信する送信手段を備えることを特徴とする請求項１乃至４のいずれか一項に記載の手書き入力装置。
【請求項６】
前記チェックボックスは、前記用紙の４隅に設けられていることを特徴とする請求項１乃至５のいずれか一項に記載の手書き入力装置。
【請求項７】
静電容量の変化に基づいて、導電性材料を含む消しゴムが移動した範囲を消去範囲と判定し、当該消去範囲に属する入力情報を消去する消去手段を備えることを特徴とする請求項１乃至６のいずれか一項に記載の手書き入力装置。
【請求項８】
前記センサシートの両面は、透明な樹脂により覆われていることを特徴とする請求項１乃至７のいずれか一項に記載の手書き入力装置。
【発明の詳細な説明】
【技術分野】
【０００１】
本発明は、入力ペンとセンサシートを利用する手書き入力装置に関する。
【背景技術】
【０００２】
感圧式タッチパネルを備える手書き入力装置の一例が特許文献１に記載されている。この手書き入力装置は、タッチパネル上に配置した用紙にユーザがペンなどで手書き入力を行うと、その筆跡を電子筆跡として取得し、ＰＤＡに入力する。
【先行技術文献】
【特許文献】
【０００３】
【特許文献１】特開２００６−１７２２３０号公報
【発明の概要】
【発明が解決しようとする課題】
【０００４】
通常、タッチパネル上に用紙を配置して手書き入力を行う際には、用紙がタッチパネルに対してずれたり傾いたりすると、手書き入力情報を正しく取得することができない。この点、特許文献１では、用紙束が手帳本体に取り付けられているため、記入中に用紙が動いてしまうことを想定していない。
【０００５】
本発明は、用紙がずれたり傾いたりした場合でも、手書き入力された情報を正しく出力することが可能な手書き入力装置を提供することを主な目的とする。
【課題を解決するための手段】
【０００６】
本発明の１つの観点は、用紙と、入力装置とを備える手書き入力装置であって、前記用紙は、予め決められた異なる位置に複数のチェックボックスが設けられており、各チェックボックス内には所定形状のマークが印刷されており、前記入力装置は、静電容量の変化を検知するセンサシートと、前記センサシートの接触位置における静電容量の変化を検出することにより、入力情報を検出する入力情報検出手段と、前記センサシート上に配置された用紙のチェックボックス内に導電性のインクにより記入された前記所定形状の複数のマークの位置を検出するマーク検出手段と、前記複数のマークの位置に基づいて、前記センサシート上に配置された用紙のセンサシートに対する位置及び傾きを検出する配置状態検出手段と、検出された位置及び傾きに基づいて、前記入力情報を補正して出力する補正手段と、を備える。
【０００７】
上記の手書き入力装置は、用紙と、入力装置とを備える。用紙は、予め決められた異なる位置に複数のチェックボックスが設けられており、各チェックボックス内には所定形状のマークが印刷されている。ユーザは、用紙への記入開始時に、まず、導電性のインクが入ったペンなどで各チェックボックス内の所定形状のマークをなぞることによりマークを記入する。入力装置は、静電容量方式のセンサシートにより、ペンなどの接触位置における静電容量の変化を検出して入力情報を検出する。センサシート上に配置される用紙には、ユーザが導電性のインクで記入した所定形状の複数のマークがあり、センサシートはそれらのマークを検出する。検出された複数のマークの位置に基づいて、センサシート上に配置された用紙のセンサシートに対する位置及び傾きが検出され、その位置及び傾きに基づいて入力情報が補正される。これにより、用紙がセンサシートに対してずれたり傾いたりして配置された場合でも、用紙に対する入力情報を正しく取得することができる。
【０００８】
上記の手書き入力装置の一態様では、前記配置状態検出手段は、前記センサシート上における前記複数のマークの位置座標に基づいて、前記センサシートの原点座標と前記用紙の原点座標との関係を算出し、前記用紙のセンサシートに対する位置を検出する。また、前記配置状態検出手段は、前記センサシート上における前記複数のマークの位置座標に基づいて、前記用紙のセンサシートに対する傾きを検出する。
【０００９】
上記の手書き入力装置の他の一態様では、前記入力情報検出手段、前記マーク検出手段、前記配置状態検出手段及び前記補正手段は、前記ペンによる入力が継続している間繰り返し動作し、補正後の入力情報を出力し続ける。これにより、ユーザの手書き入力中に用紙の位置がセンサシート上で動いてしまったとしても、入力情報を正しく取得し続けることができる。
【００１０】
上記の手書き入力装置の他の一態様は、補正後の前記入力情報を外部の端末装置へ送信する送信手段を備える。これにより、入力情報を外部の端末装置などに表示することができる。
【００１１】
好適な例では、前記チェックボックスは、前記用紙の４隅に設けられている。
【００１３】
他の好適な例では、手書き入力装置は、静電容量の変化に基づいて、導電性材料を含む消しゴムが移動した範囲を消去範囲と判定し、当該消去範囲に属する入力情報を消去する消去手段を備える。これにより、記入情報の消去が可能となる。
【００１５】
他の好適な例では、前記センサシートの両面は、透明な樹脂により覆われる。これにより、手書き入力装置を本などに挟んで使用することが可能となる。
【図面の簡単な説明】
【００１６】
【図１】本発明の実施例に係る手書き入力システムの概略構成を示す。
【図２】手書き入力装置の機能構成を示すブロック図である。
【図３】端末装置の機能構成を示すブロック図である。
【図４】手書き入力情報の位置補正の方法を説明する図である。
【図５】データ記憶部に記憶される記入データの例を示す。
【図６】位置補正のフローチャートである。
【図７】マークの形成方法を示す。
【図８】マークの配置例を示す。
【図９】手書き入力装置の変形例の断面図である。
【発明を実施するための形態】
【００１７】
以下、図面を参照しながら、本発明の実施の形態について説明する。
【００１８】
［構成］
図１は、本発明の実施例に係る手書き入力システムの概略構成を示す。手書き入力システムは、手書き入力装置（以下、単に「入力装置」と呼ぶ。）１０と、端末装置２０とを備える。入力装置１０は、ユーザがペン３２により用紙３１に記入した情報（以下、「手書き入力情報」と呼ぶ。）を取得し、無線通信により端末装置２０に送信する。端末装置２０は、入力装置１０から受信した手書き入力情報を表示する。
【００１９】
入力装置１０は、センサシート１１と、回路部１８とを備える。センサシート１１は、静電容量式であり、矩形の形状を有する。回路部１８は、入力装置１０の所定の端部に設けられ、後述する通信部、記憶部などを構成する回路が形成される。
【００２０】
入力を行う際、ユーザはセンサシート１１上に用紙３１を配置し、ペン３２により用紙に手書き入力（記入）を行う。用紙は無地であってもよいし、予め何かが印刷されていてもよい。ペン３２は、例えば鉛筆、シャープペンなどであり、芯の部分、すなわちセンサシート１１と接触する部位に導電性材料が含まれていればよい。センサシート１１は、ペン３２の導電性材料の接触、あるいは近接により内部電極の静電容量の変化を検出し、ペン３２が用紙３１を介してセンサシート１１に接触している位置の位置座標を特定する。ペン３２のセンサシート１１に対する接触位置の座標を連続的に検出することにより、ユーザが手書きした文字、記号、絵などを取得することができる。
【００２１】
端末装置２０は、入力装置１０が取得した手書き入力情報を表示するための装置であり、用紙３１に対応する一定の表示面積を有することが好ましい。図１では、端末装置２０としてタブレット型端末装置を図示しているが、端末装置２０は通常のデスクトップＰＣやラップトップＰＣなどであってもよい。
【００２２】
図２は、入力装置１０の機能構成を示す。入力装置１０は、センサシート１１に加えて、通信部１２、タイマー１３、メモリ１４、データ記憶部１５、制御部１６を備える。なお、通信部１２、タイマー１３、メモリ１４、データ記憶部１５及び制御部１６は、図１に示す回路部１８に設けられる。
【００２３】
通信部１２は、例えばＢｌｕｅｔｏｏｔｈ（登録商標）などの無線通信により、入力装置１０が取得した手書き入力情報を端末装置２０へ送信する。タイマー１３は、現在時刻を計測する。
【００２４】
メモリ１４は、後述する手書き入力情報の位置補正などを行うためのプログラムを記憶している。また、メモリ１４は、位置補正を行う際の作業メモリとしても機能する。
【００２５】
データ記憶部１５は、ユーザが手書き入力を行った際にセンサシート１１が検出した記入位置などを含む記入データを記憶する。記入データの詳細については後述する。
【００２６】
制御部１６は、メモリ１４に予め記憶されたプログラムを実行することにより、入力装置１０全体を制御するとともに、手書き入力情報の位置補正を行う。
【００２７】
上記の構成において、センサシート１１は本発明の手書き入力情報検出手段及びマーク検出手段の一例であり、制御部１６は配置状態検出手段及び補正手段の一例であり、通信部１２は送信手段の一例である。
【００２８】
図３は、端末装置２０の機能構成を示す。端末装置２０は、表示部２１と、通信部２２と、制御部２３とを備える。表示部２１は例えば液晶ディスプレイなどである。通信部２２は、無線通信により入力装置１０の通信部１２と通信し、入力装置１０から手書き入力情報を受信する。制御部２３は、端末装置２０の全体を制御する。また、制御部２３は、通信部２２が入力装置１０から受信した手書き入力情報を表示部２１に表示する処理を行う。
【００２９】
［位置補正］
図１に示すように、ユーザが用紙３１を入力装置１０のセンサシート１１上に配置してペン３２により手書き入力を行う場合、通常ユーザは用紙３１をセンサシート１１の中央付近に配置する。その際、ユーザは必ずしも用紙３１の４辺がセンサシート１１の４辺とそれぞれ平行になるように配置するとは限らない。また、用紙３１をテープなどでセンサシート１１に固定しない限り、ユーザが手書き入力を続けるのに伴って用紙３１がずれたり回転したりしてしまうことが多い。具体的には、右利きのユーザが右手で手書き入力を続けると、用紙３１が徐々に右方向へずれていったり、用紙が上下方向へ（時計まわり又は反時計まわりに）回転していったりする傾向がある。そこで、本実施例では、ユーザが手書き入力を開始する際、及び、手書き入力を続ける間に生じる用紙３１のずれを検出し、これに基づいて手書き入力情報を補正する。これを以下、「位置補正」と呼ぶ。
【００３０】
具体的に、本実施例では、用紙３１に予め複数のマークを形成しておき、このマークを検出することにより、用紙３１の配置状態、具体的にはセンサシート１１に対する用紙３１の位置及び用紙３１の傾きを検出する。そして、検出した用紙の位置及び傾きに基づいて、センサシート１１が検出した記入位置を補正する。
【００３１】
まず、センサシート１１に対する用紙３１の位置に関する補正について説明する。図４（Ａ）は、用紙３１をセンサシート１１上に配置した状態を示す。図示のように、用紙３１は四隅にマークＭ１〜Ｍ４が設けられている。なお、以下の説明において、マークＭ１〜Ｍ４を区別しない場合には単に「マークＭ」と記載し、特定の１つを指す場合には「マークＭ１」などと記載する。また、説明の便宜上、各マークＭはセンサシート１１上の１つの座標点に対応する大きさであるものとする。
【００３２】
マークＭは、導電物質からなり、例えば導電性インクにより用紙３１に形成されるので、用紙３１をセンサシート１１上に配置すると、入力装置１０はマークＭのセンサシート１１上における位置座標を検出することができる。
【００３３】
図４（Ａ）において、センサシート１１の左下隅を原点（以下、「センサ原点」と呼ぶ。）Ｏｓとし、センサシート１１の下辺と左辺をそれぞれＸ軸、Ｙ軸とする座標系（以下、「センサ座標系」とも呼ぶ。）を定義する。また、用紙３１の左下隅を原点（以下、「紙原点」と呼ぶ。）Ｏｐとし、用紙３１の下辺と左辺をそれぞれｘ軸、ｙ軸とする座標系（以下、「紙座標系」とも呼ぶ。）を定義する。
【００３４】
いま、図４（Ａ）のように用紙３１をセンサシート１１上のある位置に置いたとする。なお、この例では、用紙３１の４辺がセンサシート１１の対応する４辺とほぼ平行であるものとする。センサシート１１は用紙３１の４つのマークＭ１〜Ｍ４を検出し、制御部１６はマークＭ１〜Ｍ４のセンサ座標系における位置座標を取得する。ここで、図４（Ａ）に示すように、紙原点Ｏｐの位置座標がＯｐ（ａ，ｂ）であると仮定すると、制御部１６はマークＭ１の位置座標を紙原点Ｏｐの位置座標として取得する。この場合、ペン３２による記入位置のセンサ座標系における位置座標をＰ（Ｘ，Ｙ）とすると、その記入位置の紙座標系における位置座標ｐ（ｘ，ｙ）は以下の式で与えられる。
【００３５】
ｐ（ｘ，ｙ）＝Ｐ（Ｘ−ａ，Ｙ−ｂ）                    （１）
このように、用紙３１に設けられたマークＭ１の位置を検出して紙原点Ｏｐのセンサ座標系における位置座標を取得することにより、センサ座標系における記入位置を紙座標系における記入位置に変換することができる。また、ユーザが記入を続ける間に用紙３１が徐々に上下左右の方向にずれていったとしても、マークＭ１の位置を継続的に検出して式（１）による変換を行うことにより、入力装置１０は常に紙座標系における記入位置を正しく取得することが可能となる。
【００３６】
なお、用紙３１がセンサシート１１上に配置されると、センサシート１１は４つのマークＭ１〜Ｍ４に対応する４つの位置座標を検出するが、制御部１６は、検出された４つの位置座標のうち最もセンサ原点Ｏｓに近い位置座標をマークＭ１の位置座標であると判定すればよい。
【００３７】
次に、用紙３１の傾きに関する補正について説明する。図４（Ｂ）は、用紙３１がセンサシート１１の下辺に対して反時計まわりに傾きθだけ傾いて配置された状態を示す。なお、センサ座標系、紙座標系などの定義は図４（Ａ）と同様であるとする。
【００３８】
センサシート１１は用紙３１の４つのマークＭ１〜Ｍ４を検出し、制御部１６はマークＭ１〜Ｍ４のセンサ座標系における位置座標を取得する。ここで、図４（Ｂ）に示すように、マークＭ１のセンサ座標系における位置座標、即ち紙原点Ｏｐの座標がＯｐ（ａ，ｂ）であり、マークＭ２のセンサ座標系における座標が（ｃ，ｄ）であったとすると、傾きθは、下式で与えられる。
【００３９】
θ＝ｔａｎ−１｛（ｄ−ｂ）／（ｃ−ａ）｝                （２）
よって、制御部１６は、式（１）により得られた紙座標系における記入位置を時計回りに角度θ回転させることにより、傾きθを考慮した正しい記入位置を得ることができる。
【００４０】
このように、用紙３１に設けられたマークＭ１、Ｍ２の位置を検出して用紙３１の傾きθを算出することにより、用紙３１が傾いていても、正しい記入位置を取得することができる。また、ユーザが記入を続ける間に用紙３１が徐々に回転していったとしても、マークＭ１、Ｍ２の位置を継続的に検出して傾きθを算出して補正を行うことにより、常に紙座標系における記入位置を正しく取得することが可能となる。なお、上記の例ではマークＭ１、Ｍ２を利用して傾きθを求めているが、マークＭ３、Ｍ４を用いて傾きθを求めても良い。
【００４１】
次に、入力装置１０において記憶されるデータについて説明する。図５は、入力装置１０のデータ記憶部１５に記憶される記入データの例を示す。入力装置１０の制御部１６は、タイマー１３から現在時刻を取得し、所定時間毎（図５の例では１秒毎）に記入データを記憶する。記入データは、「紙原点座標」、「傾き」、「センサ座標系における記入座標」、「紙座標系における記入座標」を含む。「紙原点座標」は、前述のように紙原点Ｏｐのセンサ座標系における座標である。「傾き」はセンサシート１１の下辺、即ちセンサ座標系のＸ軸に対する用紙３１の下辺の傾きθである。なお、制御部１６は、前述のように、センサシート１１によりマークＭ１〜Ｍ４のセンサ座標系における位置座標を検出し、これらに基づいて紙原点座標Ｏｐ及び傾きθを算出して記憶する。
【００４２】
「センサ座標系における記入座標」はセンサシート１１上におけるペン３２の位置座標である。また、「紙座標系における記入座標」は用紙３１におけるペン３２による記入位置の座標であり、前述のように、センサ座標系における記入座標に対して、紙原点座標と傾きを用いた位置補正を行うことにより求められる。そして、入力装置１０は、手書き入力情報として、「紙座標系における記入座標」を端末装置２０へ送信する。端末装置２０は、受信した手書き入力情報を表示部２１に表示する。
【００４３】
なお、図５には示していないが、入力装置１０の制御部１６は、各時刻において検出したマークＭ１〜Ｍ４の座標も記入データに加えてデータ記憶部１５に記憶することとしてもよい。
【００４４】
次に、位置補正の処理について説明する。図６は、位置補正のフローチャートである。この処理は、主として入力装置１０の制御部１６により実行される。
【００４５】
まず、制御部１６は、センサシート１１の出力に基づいて、ペン３２による手書き入力が行われているか否かを判定する（ステップＳ１０）。ペン３２による入力が無い場合（ステップＳ１０；Ｎｏ）、処理は終了する。
【００４６】
一方、ペン３２による入力が行われている場合（ステップＳ１０；Ｙｅｓ）、制御部１６はペン３２の位置座標を検出する（ステップＳ１１）。この位置座標は、センサ座標系における記入座標に相当し、図５に示すようにデータ記憶部１５に記憶される。
【００４７】
次に、制御部１６は、センサシート１１からの出力に基づいて、マークＭの位置座標を検出する（ステップＳ１２）。次に、制御部１６は、前述の方法により、マークＭの基準となる位置座標に基づいて紙原点座標Ｏｐ及び傾きθを算出する（ステップＳ１３）。算出された紙原点座標Ｏｐ及び傾きθは、図５に示すようにデータ記憶部１５に記憶される。
【００４８】
次に、制御部１６は、前述のように紙原点座標Ｏｐ及び傾きθに基づいてセンサ座標系における記入座標を補正し、紙座標系における記入座標を算出する（ステップＳ１４）。算出された紙座標系における記入座標は、図５に示すようにデータ記憶部１５に記憶される。そして、制御部１６は、通信部１２を介して、紙座標系における記入座標を手書き入力情報として端末装置２０へ送信し（ステップＳ１５）、ステップＳ１０へ戻る。
【００４９】
こうして、ペン３２による手書き入力が続いている間は、ステップＳ１１〜Ｓ１５の処理が繰り返し実行され、紙座標系における記入座標が手書き入力情報として端末装置２０へ送信されて表示部２１に表示される。この間にセンサシート１１上における用紙３１の位置が徐々にずれていったとしても、制御部１６は常に紙原点座標Ｏｐ及び傾きθを更新しつつ紙座標系における記入座標を算出するので、端末装置２０の表示部２１には常に正しい位置及び向きで手書き入力情報が表示される。
【００５０】
［マークの形成方法］
図７は、用紙３１にマークＭを形成する方法の例を示す。図７（Ａ）の例では、用紙３１の表面に導電性インクを塗布することによりマークＭを形成している。図７（Ｂ）の例では、用紙３１に導電性インクを染み込ませることによりマークＭを形成している。また、図７（Ｃ）の例では、２枚の用紙を重ね合せて用紙３１を構成し、２枚の用紙の間に導電性インクを挟み込むことによりマークＭを形成している。
【００５１】
本実施例では、上記の方法のいずれを適用してもよい。また、センサシート１１で検知できる程度の導電性を持たせることができれば、上記以外の方法でマークＭを形成してもよく、紙に金属片を配置する方法などを用いることが可能である。また、用紙への記入開始時にユーザが予め４隅などに印刷されたチェックボックス内に導電性のペンなどを用いて記入することでそれをマークＭとして使用することも可能である。その際にはチェックボックス内に記入される記号を特定の形状として記憶しておき、ユーザにその上をなぞることを促すように薄い色で当該形状を印刷しておくことが好ましい。このようにすることで当該形状をＯＣＲなどを用いて認識し、マークＭを使用時に都度形成し、且つ特定することが可能となる。また、マークＭの形状としては裏表が判別可能なように配置位置を異ならせたり、形状自体が表裏で非対称となるものが好ましい。
【００５２】
［マークの配置例］
上記の実施例では、図４に示すように４つのマークＭを用紙３１の四隅に形成しているが、マークの位置はこれには限られない。他のマークの配置例を図８に示す。
【００５３】
図８（Ａ）は、４つのマークＭを、用紙３１の四隅よりも内側に形成した例である。この場合、入力装置１０の制御部１６は、用紙３１の隅からの各マークＭのずれ分を考慮して紙座標原点Ｏｐ及び傾きθを算出する。
【００５４】
図８（Ｂ）、（Ｃ）は、さらに図中の右側の２つのマークＭの上下方向の位置を、左側の２つのマークＭと異ならせた例であり、用紙３１の左右の中心線に対してマークＭを非対称に形成している。また、図８（Ｄ）は、右側のマークＭを１つにした例であり、同様に用紙３１の左右の中心線に対してマークＭを非対称に形成している。このように、用紙３１の中心線に対してマークＭを非対称に形成することにより、用紙３１の表面と裏面とを識別することが可能となる。即ち、記入装置１０の制御部１６は、検出した複数のマークＭの相対的な位置関係に基づいて、用紙３１の表面と裏面のいずれに対して手書き入力がなされているかを判別することができる。
【００５５】
また、用紙３１にマークＭを設ける形態によって、用紙の種類を判別できるようにしてもよい。即ち、用紙３１の種類に応じて用紙３１に形成するマークＭの形態を変える。具体的に、１つの方法では、用紙３１の種類に応じて個々のマークＭの形状を変える。例えば、用紙Ａ（種類Ａ）の用紙３１には三角形のマークＭを設け、用紙Ｂ（種類Ｂ）の用紙３１には四角形のマークＭを設ける。別の方法では、用紙３１の種類に応じて複数のマークＭの位置関係に変える。例えば、用紙Ａには４つのマークＭをそれらが長方形を構成するように形成し、用紙Ｂには３つのマークＭをそれらが三角形を構成するように形成する。また、上記の２つの方法を組み合わせ、個々のマークＭの形状と複数のマークが構成する形状の組み合わせにより用紙３１の種類を区別してもよい。例えば、用紙Ａには４つの三角形のマークＭをそれらが四角形を構成するように形成し、用紙Ｂには４つの四角形のマークをそれらが四角形を構成するように配置する。これにより、マークＭの形態に基づいて、用紙の種類を判別することが可能となる。なお、複数のマークＭの形態に基づいて用紙３１の種類を判別する処理は、記入装置１０と端末装置２０のいずれが行っても良い。即ち、記入装置１０の制御部１６が複数のマークＭの情報に基づいて用紙の種類を判別し、その結果を端末装置２０に送信してよい。その代わりに、端末装置２０の制御部２３が記入装置１０から複数のマークＭに関する情報を受信して用紙の種類を判別しても良い。
【００５６】
さらには、上記のように用紙の種類が判別できた場合に、端末装置２０の制御部２３が用紙の種類ごとに予め設定されたアプリケーションを自動的に起動するようにしてもよい。例えば、使用中の用紙３１が用紙Ａと判定された場合には、端末装置２０の制御部２３はアプリケーションＡを起動し、使用中の用紙３１が用紙Ｂと判定された場合には、端末装置２０の制御部２３はアプリケーションＢを起動する。なお、用紙の種類とアプリケーションとの対応関係は端末装置２０の図示しない記憶部などに記憶しておけばよい。
【００５７】
［記入装置の変形例］
図９は、変形例に係る記入装置１０ｘの断面図である。この記入装置１０ｘでは、センサシート１１の上下をアクリルなどの透明樹脂１７により覆っている。これにより、入力装置１０のセンサシート１１の部分がある程度の可撓性を有するようになり、例えば下敷きのように本に挟んで利用することが可能となる。
【００５８】
［変形例］
上記の実施例では、ユーザがペン３２により用紙３１に記入できるようにしているが、記入した事項を修正したい場合には、消しゴムを利用できるようにしてもよい。具体的には、通常の消しゴムの素材に導電性を有する材料を含ませておく。この消しゴムで用紙上の削除したい箇所をこすれば、鉛筆などにより用紙に記入した事項は通常の消しゴムの機能により消去される。一方、センサシート１１は、消しゴムに含まれている導電性材料を検知して消しゴムが移動した範囲を消去範囲として検出し、制御部１６はデータ記憶部１５に記憶されている記入データのうち消去範囲に属するものを消去すればよい。消去範囲に属する部分が消去された後の記入データを端末装置２０に再送すれば、端末装置２０に表示された画像において消去を反映することができる。
【００５９】
もしくは、制御部１６は、消去範囲を示すデータを消去データとして、記入データとは別にデータ記憶部１５に記憶しておいてもよい。この場合には、消去データを端末装置２０に送信し、消去データが示す消去範囲を端末装置２０が無記入状態に変更することにより、端末装置２０に表示された画像において消去を反映することができる。
【符号の説明】
【００６０】
１０、１０ｘ  手書き入力装置
１１  センサシート
１５  データ記憶部
１６  制御部
２０  端末装置
３１  用紙
３２  ペン
Ｍ  マーク
【図１】
0006528450.tif 000002
【図２】
0006528450.tif 000003
【図３】
0006528450.tif 000004
【図４】
0006528450.tif 000005
【図５】
0006528450.tif 000006
【図６】
0006528450.tif 000007
【図７】
0006528450.tif 000008
【図８】
0006528450.tif 000009
【図９】
0006528450.tif 000010